(57)【要約】【課題】  パラメータ情報を別の機器にコピーする際の操作性を向上させる。【解決手段】  インタフェイス部に接続された外部メモリに対してパラメータ情報書出部が書き出すパラメータ情報、又はパラメータ情報記憶部にパラメータ情報書込部が書き込むパラメータ情報が、編集部によって編集される（Ｓ４乃至Ｓ１１）。この編集したパラメータ情報が外部メモリ又はパラメータ情報記憶部に書き込まれることによって、パラメータ情報に含まれる情報から一部の情報を抽出、削除又は変更して、外部メモリに書き出したり、パラメータ情報記憶部に書き込むことを可能とする。【選択図】      図２
2005303845.tif 000002
【特許請求の範囲】
【請求項１】
各種機能や状態設定を示すパラメータ情報を記憶するパラメータ情報記憶手段と、
外部メモリが接続されるインタフェイス手段と、
前記パラメータ情報記憶手段に記憶されているパラメータ情報を、前記インタフェイス手段に接続された外部メモリに書き出すパラメータ情報書出手段と、
前記インタフェイス手段に接続された外部メモリに記憶されているパラメータ情報を、前記パラメータ情報記憶手段に書き込むパラメータ情報書込手段と、
前記インタフェイス手段に接続された外部メモリに対して前記パラメータ情報書出手段によって書き出されるパラメータ情報、又は前記パラメータ情報書込手段によって前記パラメータ情報記憶手段に書き込まれるパラメータ情報の少なくとも一方を編集する編集手段と
を備えた電気機器。
【請求項２】
前記インタフェイス手段に外部メモリが接続されていることを検知する接続検知手段を備え、
前記接続検知手段によって、前記インタフェイス手段に外部メモリが接続されていることが検知されているときは、前記パラメータ情報書出手段が、前記パラメータ情報記憶手段に記憶されているパラメータ情報を前記外部メモリに書き出す請求項１に記載の電気機器。
【請求項３】
ユーザから指示が入力される操作手段を備え、
前記編集手段は、前記操作手段に入力された指示に従って、前記パラメータ情報を編集する請求項１又は請求項２に記載の電気機器。
【請求項４】
前記パラメータ情報書出手段が、前記インタフェイス手段に接続された外部メモリに、前記パラメータ情報をコマンド形式で書き出す請求項１乃至請求項３のいずれかに記載の電気機器。
【請求項５】
前記パラメータ情報が、動作制御用のプロセス制御パラメータを含まない請求項１乃至請求項４のいずれかに記載の電気機器。
【請求項６】
電気機器に備えられる、各種機能や状態設定を示すパラメータ情報を記憶するパラメータ情報記憶手段と、外部メモリが接続されるインタフェイス手段との間でパラメータ情報の移動を行わせるパラメータ情報設定プログラムであって、
前記パラメータ情報記憶手段に記憶されているパラメータ情報を、前記インタフェイス手段に接続された外部メモリに書き出すパラメータ情報書出手段と、
前記インタフェイス手段に接続された外部メモリに記憶されているパラメータ情報を、前記パラメータ情報記憶手段に書き込むパラメータ情報書込手段と、
前記インタフェイス手段に接続された外部メモリに対して前記パラメータ情報書出手段によって書き出されるパラメータ情報、又は前記パラメータ情報書込手段によって前記パラメータ情報記憶手段に書き込まれるパラメータ情報の少なくとも一方を編集する編集手段として
コンピュータを機能させるパラメータ情報設定プログラム。
【発明の詳細な説明】
【技術分野】
【０００１】
本発明は、各種機能や状態設定を示すパラメータ情報を記憶し、このパラメータ情報に基づいて各種機能を実行する電気機器、及びパラメータ情報設定プログラムに関する。
【背景技術】
【０００２】
従来、各種機能や状態設定を示すパラメータ情報（例えば、ファクシミリ装置であれば、相手先番号、短縮キー、ワンタッチキー等）を記憶し、このパラメータ情報に基づいて各機能を実行する電気機器が知られており、このパラメータ情報を別の機器にコピーする際の操作性を向上させる技術が提案されている。例えば、特許文献１に示されるように、外部メモリユニットが着脱自在に取り付けられるインタフェースを備え、第１及び第２の２つのファクシミリ装置を、上記インタフェースに取り付けた連結手段で連結して、各ファクシミリ装置の内部バス信号を相互に接続し、第２のファクシミリ装置のパラメータメモリ装置から読み出したパラメータ情報を、第１のファクシミリ装置のパラメータメモリ装置にコピーするファクシミリ装置がある。
【特許文献１】特許第３４３７３２１号公報
【発明の開示】
【発明が解決しようとする課題】
【０００３】
しかし、上記の特許文献１に示されるファクシミリ装置は、２つのファクシミリ装置の内部バスを相互に連結させるため、第１のファクシミリ装置から第２のファクシミリ装置にパラメータ情報をコピーするときには、１つのファクシミリ装置の近くに他のファクシミリ装置を移動させ、２台のファクシミリ装置同士をケーブルで接続する必要があり、パラメータ情報を別の機器にコピーする際の操作性は依然として十分ではない。特に、複数のファクシミリ装置に対して、１台のファクシミリ装置に記憶されているパラメータ情報をコピーする場合には、上記操作性の不便さが増大する。
【０００４】
本発明は、上記の問題を解決するためになされたもので、パラメータ情報を別の機器にコピーする際の操作性を向上させた電気機器及びパラメータ情報設定プログラムを提供することを目的とするものである。
【課題を解決するための手段】
【０００５】
本発明の請求項１に記載の発明は、各種機能や状態設定を示すパラメータ情報を記憶するパラメータ情報記憶手段と、
外部メモリが接続されるインタフェイス手段と、
前記パラメータ情報記憶手段に記憶されているパラメータ情報を、前記インタフェイス手段に接続された外部メモリに書き出すパラメータ情報書出手段と、
前記インタフェイス手段に接続された外部メモリに記憶されているパラメータ情報を、前記パラメータ情報記憶手段に書き込むパラメータ情報書込手段と、
前記インタフェイス手段に接続された外部メモリに対して前記パラメータ情報書出手段によって書き出されるパラメータ情報、又は前記パラメータ情報書込手段によって前記パラメータ情報記憶手段に書き込まれるパラメータ情報の少なくとも一方を編集する編集手段と
を備えた電気機器である。
【０００６】
また、請求項６に記載の発明は、電気機器に備えられる、各種機能や状態設定を示すパラメータ情報を記憶するパラメータ情報記憶手段と、外部メモリが接続されるインタフェイス手段との間でパラメータ情報の移動を行わせるパラメータ情報設定プログラムであって、
前記パラメータ情報記憶手段に記憶されているパラメータ情報を、前記インタフェイス手段に接続された外部メモリに書き出すパラメータ情報書出手段と、
前記インタフェイス手段に接続された外部メモリに記憶されているパラメータ情報を、前記パラメータ情報記憶手段に書き込むパラメータ情報書込手段と、
前記インタフェイス手段に接続された外部メモリに対して前記パラメータ情報書出手段によって書き出されるパラメータ情報、又は前記パラメータ情報書込手段によって前記パラメータ情報記憶手段に書き込まれるパラメータ情報の少なくとも一方を編集する編集手段として
コンピュータを機能させるものである。
【０００７】
これらの構成によれば、インタフェイス手段に接続された外部メモリに対してパラメータ情報書出手段が書き出すパラメータ情報、又はパラメータ情報記憶手段に前記パラメータ情報書込手段が書き込むパラメータ情報が編集手段によって編集され、編集したパラメータ情報が、外部メモリ又はパラメータ情報記憶手段に書き込まれるので、パラメータ情報に含まれる情報から必要な情報を抽出したり、一部の情報を削除又は変更して、外部メモリに書き出したり、パラメータ情報記憶手段に書き込んだりすることができる。
【０００８】
また、請求項２に記載の発明は、請求項１に記載の電気機器であって、前記インタフェイス手段に外部メモリが接続されていることを検知する接続検知手段を備え、
前記接続検知手段によって、前記インタフェイス手段に外部メモリが接続されていることが検知されているときは、前記パラメータ情報書出手段が、前記パラメータ情報記憶手段に記憶されているパラメータ情報を前記外部メモリに書き出すものである。
【０００９】
この構成によれば、外部メモリをインタフェイス手段に接続していれば、パラメータ情報記憶手段に記憶されているパラメータ情報が外部メモリに書き出されるので、当該電気機器が故障した場合等であっても、故障発生時まで使用していたパラメータ情報を外部メモリから簡単に取り出すことができる。この外部メモリに書き出されたパラメータ情報を用いることによって、別個の電気機器を代替機として同じ環境設定にすることが容易になる。
【００１０】
また、請求項３に記載の発明は、請求項１又は請求項２に記載の電気機器であって、ユーザから指示が入力される操作手段を備え、
前記編集手段は、前記操作手段に入力された指示に従って、前記パラメータ情報を編集するものである。
【００１１】
この構成によれば、操作手段にユーザが入力した指示に従って、編集手段がパラメータ情報を編集するので、ユーザが所望の情報を抽出して、パラメータ情報を外部メモリに書き出したり、読み出したりすることができる。
【００１２】
また、請求項４に記載の発明は、請求項１乃至請求項３のいずれかに記載の電気機器であって、前記パラメータ情報書出手段が、前記インタフェイス手段に接続された外部メモリに、前記パラメータ情報をコマンド形式で書き出すものである。
【００１３】
この構成によれば、パラメータ情報書出手段がパラメータ情報をコマンド形式で外部メモリに書き出すので、外部メモリに書き出したパラメータ情報を、プラットホームが異なる状況下でも使用できる可能性が高くなる。
【００１４】
また、請求項５に記載の発明は、請求項１乃至請求項４のいずれかに記載の電気機器であって、前記パラメータ情報が、動作制御用のプロセス制御パラメータを含まないものである。
【００１５】
この構成によれば、パラメータ情報に動作制御用のプロセス制御パラメータが含まれないので、当該電気機器の特質に応じた固有の動作制御用のプロセス制御パラメータがパラメータ情報記憶手段に記憶されている場合に、外部メモリに記憶されたパラメータ情報を他の電気機器に読み取らせても、別の電気機器用のプロセス制御パラメータが、パラメータ情報のコピー先である電気機器に読み込まれてしまうことがなく、当該コピー先の電気機器が誤動作等を生じることがない。
【発明の効果】
【００１６】
請求項１及び請求項６に記載の発明によれば、パラメータ情報に含まれる情報から必要な情報を抽出したり、一部の情報を削除又は変更した上で、外部メモリに書き出したり、パラメータ情報記憶手段に書き込んだりすることができる。これにより、ある電気機器から別の機器にパラメータ情報をコピーする際の操作性が従来よりも向上される。
【００１７】
請求項２に記載の発明によれば、当該電気機器が故障した場合等であっても、故障発生まで使用していたパラメータ情報を外部メモリから簡単に取り出すことができる。この外部メモリに書き出されたパラメータ情報を用いることによって、別個の電気機器を代替機として同じ環境設定にすることが容易になる。
【００１８】
請求項３に記載の発明によれば、操作手段にユーザが入力した指示に従って、編集手段がパラメータ情報を編集するので、ユーザが所望の情報を抽出して、パラメータ情報を外部メモリに書き出したり、読み出したりすることができる。
【００１９】
請求項４に記載の発明によれば、パラメータ情報書出手段がパラメータ情報をコマンド形式で外部メモリに書き出すので、外部メモリに書き出したパラメータ情報を、プラットホームが異なる状況下であっても使用できる可能性を高くすることができる。
【００２０】
請求項５に記載の発明によれば、当該電気機器の特質に応じた固有の動作制御用のプロセス制御パラメータがパラメータ情報記憶手段に記憶されている場合に、外部メモリに記憶されたパラメータ情報を他の電気機器に読み取らせても、別の電気機器用のプロセス制御パラメータが、パラメータ情報のコピー先である電気機器に読み込まれてしまうことがなく、当該コピー先の電気機器が誤動作等を生じることがない。
【発明を実施するための最良の形態】
【００２１】
以下、本発明に係る電気機器の一実施形態であるファクシミリ装置について図面を参照して説明する。図１は本発明に係るファクシミリ装置の概略構成を示すブロック図である。
【００２２】
ファクシミリ装置１は、装置の各部の動作を制御する制御部１１と、ファクス送信の対象となる原稿を読み取るスキャナ等を有する画像読取部１２と、画像読取部１２によって読み取られた原稿データや、公衆回線３０を通じて外部のファクシミリ装置５０から受信した画像データを記憶する画像メモリ１３と、外部等から受信した画像データを記録紙に記録（印刷）する記録部１４とを有する。
【００２３】
また、ファクシミリ装置１は、画像情報の符号化／復号化を行なう符号復号部１６と、ファクシミリ通信時に画像情報を変復調するモデム（変復調装置）１７と、ファクシミリ通信を行う電話回線等のループを形成するＮＣＵ（網制御装置）１８と、操作部（操作手段）２０でダイヤルされた相手先番号にファクス通信処理等を行う通信制御部１９と、操作者からの各種操作指示（原稿送信相手先ファクス番号等）を受け付ける送信スタートキー、テンキー及び短縮番号キー等からなる操作部（操作手段）２０と、操作者への操作案内等を表示するＬＣＤ（Liquid Crystal Display）等からなる表示部（操作手段としても機能）２１と、相手先ファクス番号情報、短縮キー情報、ワンタッチキー情報等の複数項目からなるパラメータ情報を記憶するパラメータ情報記憶部（パラメータ情報記憶手段）２２と、フラッシュメモリ等の外部メモリ２３の装填が可能であり、装填された外部メモリ２３と接続するインタフェイス部（インタフェイス手段）２４とを備える。
【００２４】
さらに、制御部１１は、パラメータ情報書出部（パラメータ情報書出手段）１１１、パラメータ情報書込部（パラメータ情報書込手段）１１３、編集部（編集手段）１１４、及びメモリ接続検知部（接続検知手段）１１５を備えている。
【００２５】
パラメータ情報書出部１１１は、パラメータ情報記憶部２２に記憶されているパラメータ情報を、インタフェイス部２４に接続された外部メモリ２３に書き出す。パラメータ情報書込部１１３は、インタフェイス部２４に接続された外部メモリ２３に記憶されているパラメータ情報をパラメータ情報記憶部２２に書き込む。編集部１１４は、インタフェイス部２４に接続された外部メモリ２３にパラメータ情報書出部１１１が書き出すパラメータ情報と、パラメータ情報記憶部２２にパラメータ情報書込部１１３が書き込むパラメータ情報を編集する。この編集部１１４は、操作部２０にユーザから入力された指示に従って、パラメータ情報を編集することが可能である。メモリ接続検知部１１５は、インタフェイス部２４に外部メモリ２３が接続されていることを検知する。
【００２６】
制御部１１の上記パラメータ情報書出部１１１、パラメータ情報書込部１１３、編集部１１４、及びメモリ接続検知部１１５は、回路等によるハードウェアで構成されてもよいが、さらには、制御部１１の動作を規定するプログラムを、図略のＨＤＤ（ハードディスクドライブ）又はＲＯＭに記憶させておき、制御部１１を構成するＣＰＵが当該プログラムに基づいて動作することによって、制御部１１が、上記パラメータ情報書出部１１１乃至メモリ接続検知部１１５として機能するようにしてもよい。
【００２７】
次に、ファクシミリ装置１において、パラメータ情報記憶部２２から外部メモリ２３にパラメータ情報を書き出す処理について説明する。図２は、パラメータ情報記憶部２２から外部メモリ２３にパラメータ情報を書き出す際の処理を示すフローチャート、図３は書出対象となる項目の表示画面の例を示す図、図４はユーザにパラメータ情報の項目を変更するか否かの指示の入力を促す画面の例を示す図、図５はキーボード表示画面の例を示す図である。
【００２８】
ユーザから操作部２０に、パラメータ情報記憶部２２に記憶されているパラメータ情報を、インタフェイス部２４に接続されている外部メモリ２３に書き出す旨の指示が入力されると（Ｓ１でＹＥＳ）、制御部１１は、外部メモリ２３に書き出す対象となる項目を、パラメータ情報に含まれる最初の項目に設定し（Ｓ２）、この書出の対象となる項目を、例えば、図３に示すように、表示部２１に表示する（Ｓ３）。
【００２９】
上記表示後、ユーザによって、この表示されている項目を外部メモリ２３に書き出す旨の指示が操作部２０に入力されると（Ｓ４でＹＥＳ）、当該表示している項目をパラメータ情報書出部１１１がパラメータ情報記憶部２２から読み出して（Ｓ５）、インタフェイス部２４を介して外部メモリ２３に書き込む（Ｓ６）。
【００３０】
続いて、制御部１１は、例えば、図４に示すような、項目の内容を変更するか否かの選択をユーザに促すメッセージを表示部２１に表示させる（Ｓ７）。ユーザによって、当該表示中の項目を変更する旨の指示が操作部２０に入力され（Ｓ８でＹＥＳ）、さらに、ユーザによって入力された新たな情報（新たなファクス番号等）を制御部１１が受け付けると（Ｓ９）、編集部１１４が、外部メモリ２３に書き込まれている当該項目の内容を、ユーザによって入力された新たな情報に変更する（Ｓ１０）。なお、ユーザが、項目の内容を変更する場合、例えば、表示部２１に表示されている「キーボード表示」ボタン２１１をユーザが押下すると（図４参照）、表示部２１に備えられているタッチパネル機能により、この押下が認識され、制御部１１は、表示部２１の表示画面を、図５に示すような、キーボード表示画面に切り換える。このキーボード表示画面から、ユーザが所望の番号や文字等を入力できるようになっている。
【００３１】
この変更が終了すると（Ｓ１１でＹＥＳ）、制御部１１は、パラメータ情報に含まれる全ての項目について、パラメータ情報書出部１１１による外部メモリ２３への書き出しが終了したか否かを判断する（Ｓ１２）。全項目の書出が終了していない場合は（Ｓ１２でＮＯ）、制御部１１は、パラメータ情報書出部１１１による外部メモリ２３への書出の対象を次の項目に設定して（Ｓ１３）、Ｓ３の処理に戻り、次の項目を書出対象として表示部２１に表示させる。
【００３２】
また、上記Ｓ４において、表示部２１に表示した項目を外部メモリ２３に書き出す指示がユーザから入力されなかった場合や（Ｓ４でＮＯ）、Ｓ８において、外部メモリ２３に書き出した項目の内容を変更する指示がユーザから入力されなかった場合は（Ｓ８でＮＯ）、それ以降の処理を行わずに、Ｓ１２にスキップし、制御部１１が、書出の対象となる次の項目があるか否かを判断する（Ｓ１２）。制御部１１は、次の項目がある場合は、次の項目を書出の対象とし（Ｓ１３）、次の項目が存在せず、全項目が終了した場合は処理を終了する（Ｓ１２でＹＥＳ）。
【００３３】
なお、特許請求の範囲でいう「編集」は、上記で説明した項目選択処理及び項目内容変更処理の両方又は一方を指す。
【００３４】
また、上記では、ユーザによって選択されたパラメータ情報の項目を外部メモリ２３に書き出した後で、編集部１１４が、外部メモリ２３に記憶されているパラメータ情報の項目の内容を変更するようにしているが、パラメータ情報を外部メモリ２３に書き込む前に、編集部１１４がユーザから受け付けた指示に基づいて項目の内容を変更し、変更後の内容からなる項目を、パラメータ情報書出部１１１が外部メモリ２３に書き出すようにしてもよい。
【００３５】
次に、ファクシミリ装置１において、外部メモリ２３からパラメータ情報を読み出して、パラメータ情報記憶部２２に書き込む処理について説明する。図６は、外部メモリ２３からパラメータ情報を読み出してパラメータ情報記憶部２２に書き込む際の処理を示すフローチャート、図７は項目選択画面の例を示す図である。
【００３６】
ユーザから操作部２０に、インタフェイス部２４に接続された外部メモリ２３内のパラメータ情報を、パラメータ情報記憶部２２に書き込む旨の指示が入力されると（Ｓ２０でＹＥＳ）、制御部１１は、ユーザによる指示が、上書モード又は追加モードのいずれであるかを判断する（Ｓ２１）。この上書モードとは、パラメータ情報記憶部２２に記憶されているパラメータ情報の各項目を、外部メモリ２３から読み出したパラメータ情報の各項目に書き換えるモードである。追加モードとは、パラメータ情報記憶部２２に記憶されているパラメータ情報の各項目はそのまま保存し、外部メモリ２３から読み出したパラメータ情報の各項目を新たな項目として書き加えるモードである。
【００３７】
ユーザの指示が上書モードである場合は（Ｓ２１でＹＥＳ）、制御部１１は、例えば、図７に示すような、項目選択画面によって、項目の選択を促すメッセージを表示部２１に表示させる（Ｓ２８）。この項目選択画面では、相手先ファクス番号、短縮キー、ワンタッチキー等の、パラメータ情報を構成する各項目が表示される。ユーザが各項目の表示部分を押下すると、タッチパネル機能により、押下された部分の項目が選択されるようになっている。選択された項目表示部分は色を変えて表示される。項目選択後、「ＯＫ」ボタン２１５をユーザが押下すると、選択指示が制御部１１に受け付けられる。また、「全項目上書」ボタン２１６をユーザが押下すると、外部メモリ２３から読み出したパラメータ情報に含まれる全ての項目を、この項目に対応する、パラメータ情報記憶部２２内のパラメータ情報の項目に上書きする全項目上書モードが、制御部１１に受け付けられる。
【００３８】
上記項目選択画面の表示後、ユーザから、全項目上書モードの指示が入力されると（Ｓ２９で「全項目」）、パラメータ情報書込部１１３は、インタフェイス部２４を介して、外部メモリ２３からパラメータ情報の全項目を読み出し（Ｓ３０）、読み出した全項目を、パラメータ情報記憶部２２内の対応する各項目に上書きする（Ｓ３１）。
【００３９】
一方、Ｓ２９において、全項目上書モードの指示が入力されず、選択した各項目毎に上書きするモードの指示がユーザから入力された場合は（Ｓ２９で「項目選択」）、パラメータ情報書込部１１３は、外部メモリ２３から当該選択された項目を読み出し（Ｓ３２）、読み出した項目をパラメータ情報記憶部２２内の対応する項目に上書きする（Ｓ３３）。
【００４０】
また、Ｓ２１において、ユーザから追加モードの指示が入力された場合は（Ｓ２１でＮＯ）、制御部１１は、例えば、図７に示した項目選択画面の「全項目上書」ボタン２１５を「全項目追加ボタン」とした表示画面によって、項目の選択を促すメッセージを表示部２１に表示させる（Ｓ２２）。項目選択後、「ＯＫ」ボタン２１５をユーザが押下すると、項目選択指示が制御部１１に受け付けられる。また、「全項目追加」ボタンをユーザが押下すると、外部メモリ２３から読み出したパラメータ情報の全ての項目を、パラメータ情報記憶部２２内のパラメータ情報に追加する全項目追加モードが、制御部１１に受け付けられる。
【００４１】
ユーザから、全項目追加モードの指示が入力された場合は（Ｓ２３で「全項目」）、パラメータ情報書込部１１３は、外部メモリ２３からパラメータ情報の全項目を読み出して（Ｓ２６）、読み出した全項目をパラメータ情報記憶部２２に追加する（Ｓ２７）。
【００４２】
一方、Ｓ２３において、全項目追加モードの指示が入力されず、選択した各項目を追加するモードの指示ユーザから入力された場合は（Ｓ２３で「項目選択」）、パラメータ情報書込部１１３は、外部メモリ２３から当該選択された項目を読み出し（Ｓ２４）、読み出した項目をパラメータ情報記憶部２２に新たに追加する（Ｓ２５）。
【００４３】
なお、本発明は上記実施の形態の構成に限られず種々の変形が可能である。例えば、上記実施形態では、パラメータ情報記憶部２２に記憶されているパラメータ情報を、外部メモリ２３に書き出す場合、ユーザによる書出指示の入力に基づいて書出処理を開始するようにしているが、図８に示すように、インタフェイス部２４に外部メモリ２３が接続された時に、パラメータ情報記憶部２２に記憶されているパラメータ情報を外部メモリ２３に書き出すようにしてもよい。
【００４４】
この場合、メモリ接続検知部１１５によって、インタフェイス部２４に外部メモリ２３が接続されていることが検出されると（Ｓ４１でＹＥＳ）、パラメータ情報書出部１１１がパラメータ情報記憶部２２からパラメータ情報の全項目を読み出し（Ｓ４２）、当該全項目を外部メモリ２３に書き出すようにする（Ｓ４３）。これにより、当該ファクシミリ装置１が故障した場合等であっても、故障発生時まで使用していたパラメータ情報が外部メモリ２３に保存されることになるので、それまで使用していたパラメータ情報を外部メモリ２３から簡単に取り出すことができる。よって、ファクシミリ装置１が故障した場合であっても、外部メモリ２３に保存されているパラメータ情報を用いることで、別個のファクシミリ装置を代替機として同じ環境設定にすることが容易になる。
【００４５】
さらに、メモリ接続検知部１１５によって、インタフェイス部２４への外部メモリ２３の接続が検知されている状態の下で、パラメータ情報記憶部２２に記憶されているパラメータ情報の全部、又は項目の一部が書き換えられた場合は、パラメータ情報書出部１１１が、当該書き換えられたパラメータ情報の全部、又は項目の一部を外部メモリ２３に書き出すようにしてもよい。
【００４６】
また、パラメータ情報書出部１１１が、インタフェイス部２４に接続された外部メモリ２３に、パラメータ情報をコマンド形式で書き出すようにしてもよい。この場合、外部メモリ２３に書き出されたパラメータ情報は、プラットホームが異なる他のファクシミリ装置等であっても使用できる可能性が高くなる。
【００４７】
パラメータ情報書出部１１１が、外部メモリ２３に書き込むパラメータ情報は、動作制御用のプロセス制御パラメータを含まないものとしてもよい。これによれば、当該ファクシミリ装置１の特質に応じた固有の動作制御用のプロセス制御パラメータがパラメータ情報記憶部２２に記憶されている場合に、外部メモリ２３に記憶されたパラメータ情報を他のファクシミリ装置に読み取らせても、別のファクシミリ装置用のプロセス制御パラメータが、パラメータ情報のコピー先であるファクシミリ装置に読み込まれてしまうという不具合がなく、当該コピー先の電気機器が誤動作等を生じることがない。
【００４８】
また、上記実施形態では、本発明に係る電気機器をファクシミリ装置１として説明しているが、本発明に係る電気機器は、ファクシミリ装置に限定されず、複写機やプリンタ、或いは、ファクシミリ機能とプリンタ機能と複写機能を兼ね備えた複合機等の他の電気機器を含み、さらには、各種機能や状態設定を示すパラメータ情報を記憶し、このパラメータ情報に基づいて各種機能を実行する電気機器を広く含む。
【００４９】
また、上記実施形態では、ファクシミリ装置１の構成及び処理を図１乃至図８に示しているが、これらの構成及び処理はあくまでも一例であり、上記に限定されるものではない。
【図面の簡単な説明】
【００５０】
【図１】本発明に係るファクシミリ装置の概略構成を示すブロック図である。
【図２】パラメータ情報記憶部から外部メモリにパラメータ情報を書き出す際の処理を示すフローチャートである。
【図３】書出対象となる項目の表示画面の例を示す図である。
【図４】ユーザにパラメータ情報の項目を変更するか否かの指示の入力を促す画面の例を示す図である。
【図５】キーボード表示画面の例を示す図である。
【図６】外部メモリからパラメータ情報を読み出してパラメータ情報記憶部に書き込む際の処理を示すフローチャートである。
【図７】項目選択画面の例を示す図である。
【図８】インタフェイス部に外部メモリが接続された時に、パラメータ情報記憶部に記憶されているパラメータ情報を外部メモリに書き出す処理を示すフローチャートである。
【符号の説明】
【００５１】
１      ファクシミリ装置
１１    制御部
１１１  パラメータ情報書出部
１１３  パラメータ情報書込部
１１４  編集部
１１５  メモリ接続検知部
２０    操作部
２１    表示部
２２    パラメータ情報記憶部
２３    外部メモリ
２４    インタフェイス部
【図１】
2005303845.tif 000003
【図２】
2005303845.tif 000004
【図３】
2005303845.tif 000005
【図４】
2005303845.tif 000006
【図５】
2005303845.tif 000007
【図６】
2005303845.tif 000008
【図７】
2005303845.tif 000009
【図８】
2005303845.tif 000010